(57)【要約】【課題】ＣＤ等からトラック単位でファイルが構成されるようにリッピングを行う際に、各ファイルのデータにおいて頭切れが生じるのを防止することができる技術を提供する。【解決手段】所定の記録媒体において所定の記録単位で記録されている各コンテンツデータを順次再生して得られる再生信号を、順次所定形式のデータに変換しながら、所定の記憶装置に対し、記録単位毎に異なるファイルとして書き込むことにより記録を行う記録再生装置において、記録単位毎に再生終了を検出する検出手段（ステップ４１）と、検出手段により再生終了が検出されたとき、記録媒体についての再生動作を一時停止する一時停止手段（ステップ４５）とを設け、次の異なるファイルのオープンが完了するまで、一時停止手段による一時停止を継続する（ステップ５０）ようにする。【選択図】図２
2008090967.tif 000002
【特許請求の範囲】
【請求項１】
所定の記録媒体において所定の記録単位で記録されている各コンテンツデータを順次再生して得られる再生信号を、順次所定形式のデータに変換しながら、所定の記憶装置に対し、前記記録単位毎に異なるファイルとして書き込むことにより記録を行う記録再生装置であって、
前記記録単位毎に再生終了を検出する検出手段と、
前記検出手段により再生終了が検出されたとき、前記記録媒体についての再生動作を一時停止する一時停止手段と、
次の異なるファイルのオープンが完了するまで、前記一時停止手段による一時停止を継続することを特徴とする記録再生装置。
【請求項２】
前記次の異なるファイルのオープンが完了した後、該ファイルへの書込み状態へ移行してから前記一時停止手段による再生動作の一時停止を解除することを特徴とする請求項１に記載の記録再生装置。
【請求項３】
前記検出手段により記録単位毎の再生終了を検出したとき、再生信号についての書込みを一時停止し、該書込みを行っていたファイルをクローズすることを特徴とする請求項１又は２に記載の記録再生装置。
【請求項４】
前記再生動作の再開に際しては、次の記録単位の再生開始位置から再生を開始することを特徴とする請求項１〜３のいずれか１項に記載の記録再生装置。
【請求項５】
所定の記録媒体において所定の記録単位で記録されている各コンテンツデータを順次再生して得られる再生信号を、順次所定形式のデータに変換しながら、所定の記憶装置に対し、前記記録単位毎に異なるファイルとして書き込むことにより記録を行う記録再生装置を、
前記記録単位毎に再生終了を検出する検出手段、
前記検出手段により再生終了が検出されたとき、前記記録媒体についての再生動作を一時停止する一時停止手段として機能させるとともに、
次の異なるファイルのオープンが完了するまで、前記一時停止手段による一時停止を継続するように機能させることを特徴とする記録再生プログラム。
【請求項６】
所定の記録媒体において所定の記録単位で記録されている各コンテンツデータを順次再生して得られる再生信号を、順次所定形式のデータに変換しながら、所定の記憶装置に対し、前記記録単位毎に異なるファイルとして書き込むことにより記録再生装置が記録を行うに際し、
記録再生装置が、前記記録単位毎に再生終了を検出する検出工程と、
記録再生装置が、前記検出工程により再生終了が検出されたとき、前記記録媒体についての再生動作を一時停止する一時停止工程とを備え、
記録再生装置が、次の異なるファイルのオープンが完了するまで、前記一時停止工程による一時停止を継続することを特徴とする記録再生方法。
【発明の詳細な説明】
【技術分野】
【０００１】
本発明は、音楽ＣＤやＤＶＤビデオ等に記録されているデジタルデータをパソコンや再生装置等で処理できるようなファイル形式に変換して記憶装置に取り込む記録再生装置、記録再生装置を所定の手段として機能させる記録再生プログラム、及び記録再生装置における記録再生方法に関する。
【背景技術】
【０００２】
従来、音楽ＣＤ等に記録されているデジタル形式の音声データを抽出し、パソコンやオーディオ装置等で処理できるようなファイル形式に変換して保存するリッピングという技術が知られている。変換後のファイル形式としては、たとえば、ＭＰ３やＷＭＡが該当する。リッピングにより得られるファイルの保存場所としては、たとえばメモリカードや、ＵＳＢメモリ、内部フラッシュメモリ、ハードディスクが用いられる。また、ＣＤやＭＤ等のトラック情報を有する音源に基づき、トラック毎に異なるファイルが形成されるように、バッファメモリを介することなくリッピングを行うダイレクトリッピングも行われている。
【０００３】
図１は、このようなリッピング機能を有する記録再生装置の構成を示すブロック図である。この装置は、ＣＤを再生して再生信号を出力するＣＤメカ部１２、ＣＤメカ部１２からの再生信号を、ＭＰ３やＷＭＡ等のファイル形式に変換して、メモリカード１７やＵＳＢメモリ１８に保存するデジタル・シグナル・プロセッサ（以下、「ＤＳＰ」という。）１６、メモリカード１７及びＵＳＢメモリ１８とＤＳＰ１６との間にそれぞれ介在し、インタフェース機能を果たすメモリカードスロット１９及びＵＳＢコントローラ２０、装置各部を制御するシステムマイコン２４、並びに、システムマイコン２４との間でのユーザインタフェースとしての機能を果たす表示部２５及び操作部２６を備える。
【０００４】
図３は、この装置における従来のダイレクトリッピング処理を示すフローチャートである。同図に示すように、処理を開始すると、まず、システムマイコン２４が、ステップ５１において、ＣＤメカ部１２においてＣＤが挿入されるのを待機する。ＣＤが挿入されると、ステップ５２においてＣＤからのＴＯＣデータの読込みが完了したかどうかの判定を行いながら、ステップ５３において該ＴＯＣデータの読込みを行う。ＴＯＣデータの読込みが完了したと判定した場合には、ステップ５４へ進み、操作部２６における自動録音キーの押下がなされるのを待機する。自動録音キーが押下されると、ステップ５５へ進み、ＣＤメカ部１２に対し、ＣＤの生成を一時的に停止した状態である再生一時停止（ＣＤプレイ・ポーズ）状態へ移行するように指令する。
【０００５】
次に、ステップ５６において、ＤＳＰ１６に対し、録音一時停止状態に移行するように通知する。録音一時停止状態とは、メモリカード１７又はＵＳＢメモリ１８において新たなファイルを作成し、オープン状態とすることを意味する。次にステップ５７において、この録音一時停止状態への移行が完了するのを待機する。録音一時停止状態への移行が完了すると、ステップ５８へ進み、ＤＳＰ１６に対し、録音状態への移行を指令する録音開始通知を行う。そして、ステップ５９において、ＤＳＰ１６からの録音状態へ移行した旨の通知を待機する。この通知を受け取ると、ステップ６０において、ＣＤメカ部１２に対し、ＣＤの再生を開始するように指令する。これにより、ＣＤから上記メモリカード１７又はＵＳＢメモリ１８において新たに作成したファイルへのデータ取込みが開始される。
【０００６】
データ取込みが行われている間、ステップ６１〜６３において、それぞれ、再生中のＣＤにおける再生トラックの変化、ＣＤの全トラックについての再生終了、又は操作部２６における停止キーの押下の有無を監視する。再生トラックの変化とは、次に再生するトラックが存在する場合において、再生中のトラックについての再生が終了したことを意味する。トラックの変化を検出すると、ステップ６４へ進み、ＤＳＰ１６に対して再生トラックが変化した旨を知らせるトラックチェンジ通知を行う。トラックチェンジ通知を受けたＤＳＰ１６は、ステップ６５において、次のトラックの設定を行う。すなわち録音中のファイルをクローズするとともに、次のファイルを作成してオープン状態とする。この後、ステップ６０に戻り、上述と同様の手順で、次のトラックについてのリッピング動作を、次のファイルを格納先として開始する。
【０００７】
ステップ６２又は６３において、ＣＤの全トラックについての再生の終了又は停止キーの押下を検出した場合には、ステップ６６において録音停止処理が行われる。すなわちシステムマイコン２４は、ＤＳＰ１６に対し、録音の停止を指令する停止通知を送る。この通知を受けると、ＤＳＰ１６は、録音中のファイルをクローズして録音状態を解除する。これが完了すると、その旨を知らせる停止完了通知をシステムマイコン２４に送る。この停止完了通知を受信すると、システムマイコン２４は、録音状態を解除する。これによりリッピング処理が終了する。
【０００８】
一方、同様にファイル単位で録音を行う技術として、ファイルがオープンした状態を維持しながら、そのファイルへの録音を一時停止する手段を設け、一時停止を挟みながらもその前後の音声部分を１つのファイルとして録音を行うことができるようにした音声記録再生装置が知られている（たとえば特許文献１参照）。この装置によれば、たとえば口述記録等の短時間の間に録音、停止が頻繁に繰り返されるような場合において、録音が一時的に停止状態になったとしても、音声データを記録しているファイルを開いた状態に維持し、同時にＣＰＵの内部ＲＡＭに当該ファイルの属性情報を記憶した状態で保持するようにしているので、録音、停止操作が短時間に頻繁に繰り返されるような場合にも、使用者の操作速度に音声記録再生装置が追従できずに頭切れ等の現象が発生するのを確実に防止することができるとされている（同文献の段落００４９〜００５０）。
【０００９】
【特許文献１】特開平９−３１１６９９号公報
【発明の開示】
【発明が解決しようとする課題】
【００１０】
しかしながら、上述図３の従来技術によれば、トラック単位でファイルが形成されるように、トラックの変更時にファイルのクローズ及びオープンを行うようにしているため、クローズ及びオープンの処理に一定の時間を要し、その間は録音が行われないので、オープンされたファイルへ録音しようとする音声データの先頭部分が、ファイルのオープンが間に合わずに録音されないおそれがある。この頭切れを防止するために、上述の音声記録再生装置の場合のように、ファイルのクローズを行うことなくオープン状態を維持するようにすることも考えられるが、そうすると、ＣＤ１枚分の全楽曲によって１つのファイルが構成されることになるので、再生時に、聴きたい楽曲を容易にサーチして再生させることができなくなるという問題が生じる。
【００１１】
本発明の目的は、このような従来技術の問題点に鑑み、ＣＤ等からトラック単位でファイルが構成されるようにダイレクトリッピングを行う際に、各ファイルのデータにおいて頭切れが生じるのを確実に防止することができる技術を提供することにある。
【課題を解決するための手段】
【００１２】
第１の発明は、所定の記録媒体において所定の記録単位で記録されている各コンテンツデータを順次再生して得られる再生信号を、順次所定形式のデータに変換しながら、所定の記憶装置に対し、前記記録単位毎に異なるファイルとして書き込むことにより記録を行う記録再生装置に関する。この記録再生装置は、上述の目的を達成するため、前記記録単位毎に再生終了を検出する検出手段と、前記検出手段により再生終了が検出されたとき、前記記録媒体についての再生動作を一時停止する一時停止手段と、次の異なるファイルのオープンが完了するまで、前記一時停止手段による一時停止を継続することを特徴とする。
【００１３】
ここで、記録媒体としては、たとえばＣＤ−ＤＡ（音楽ＣＤ）や、ＭＤ（ミニディスク）、ＤＶＤが該当する。コンテンツデータとしては、たとえば、楽曲コンテンツやビデオコンテンツのデータが該当する。所定形式のデータとしては、たとえば、ＷＡＶ形式や、ＷＭＡ形式、ＭＰ３形式のデータが該当する。記録単位としては、たとえばトラック単位や、楽曲単位、プログラム単位が該当する。
【００１４】
この構成において、記録が開始されると、記録媒体の再生により得られる再生信号は、所定のデータ変換を受けながら、記録単位毎に異なるファイルとして、記憶装置へ書き込まれてゆく。その際、各記録単位について、再生の終了が検出されると、記録媒体についての再生動作が一時停止される。その後、書込みがなされていたファイルがクローズされるとともに、次の異なるファイルが作成され、オープン状態とされるまで、再生動作は一時停止される。該ファイルがオープン状態となると、再生動作が再開され、該ファイルに対して次の記録単位の書込みが開始される。
【００１５】
第２の発明に係る記録再生装置は、第１発明において、前記次の異なるファイルのオープンが完了した後、該ファイルへの書込み状態へ移行してから前記一時停止手段による再生動作の一時停止を解除することを特徴とする。
【００１６】
第３の発明に係る記録再生装置は、第１又は第２発明において、前記検出手段により記録単位毎の再生終了を検出したとき、再生信号についての書込みを一時停止し、該書込みを行っていたファイルをクローズすることを特徴とする。
【００１７】
第４の発明に係る記録再生装置は、第１〜第３のいずれかの発明において、前記再生動作の再開に際しては、次の記録単位の再生開始位置から再生を開始することを特徴とする。
【００１８】
第５の発明に係る記録再生プログラムは、所定の記録媒体において所定の記録単位で記録されている各コンテンツデータを順次再生して得られる再生信号を、順次所定形式のデータに変換しながら、所定の記憶装置に対し、前記記録単位毎に異なるファイルとして書き込むことにより記録を行う記録再生装置を、前記記録単位毎に再生終了を検出する検出手段、前記検出手段により再生終了が検出されたとき、前記記録媒体についての再生動作を一時停止する一時停止手段として機能させるとともに、次の異なるファイルのオープンが完了するまで、前記一時停止手段による一時停止を継続するように機能させることを特徴とする
【００１９】
第６の発明に係る記録再生方法は、所定の記録媒体において所定の記録単位で記録されている各コンテンツデータを順次再生して得られる再生信号を、順次所定形式のデータに変換しながら、所定の記憶装置に対し、前記記録単位毎に異なるファイルとして書き込むことにより記録再生装置が記録を行うに際し、記録再生装置が、前記記録単位毎に再生終了を検出する検出工程と、記録再生装置が、前記検出工程により再生終了が検出されたとき、前記記録媒体についての再生動作を一時停止する一時停止工程とを備え、記録再生装置が、次の異なるファイルのオープンが完了するまで、前記一時停止工程による一時停止を継続することを特徴とする。
【発明の効果】
【００２０】
本発明によれば、記録単位毎に、再生終了が検出されたことに応答して、記録媒体についての再生動作を一時停止するとともに、該一時停止を、次の異なるファイルのオープンが完了するまで継続するようにしたため、各ファイルに書き込まれるコンテンツデータにおいて頭切れが生じるのを防止することができる。
【００２１】
また、次の異なるファイルのオープンが完了した後、該ファイルへの書込み状態へ移行してから再生動作の一時停止を解除するようにしたため、各ファイルに書き込まれるコンテンツデータにおいて頭切れが生じるのを確実に防止することができる。
【００２２】
また、記録単位毎の再生終了を検出したとき、再生信号についての書込みを一時停止し、該書込みを行っていたファイルをクローズするようにしたため、該書込みを行っていたファイルの最後に無駄な無音部分が記録されるのを防止することができる。
【００２３】
また、前記再生動作の再開に際しては、次の記録単位の再生開始位置から再生を開始するようにしたため、該記録単位についての書込みを行うための次のファイルにおいて、余分な無音信号が先頭に記録されるのを防止することができる。
【発明を実施するための最良の形態】
【００２４】
図１は、本発明の一実施形態に係る記録再生装置の構成を示すブロック図である。同図に示すように、この装置は、ＭＤを再生して再生信号を出力するＭＤメカ部１１、ＣＤを再生して再生信号を出力するＣＤメカ部１２、及び外部からのアナログ音声信号の入力を受け入れるためのアナログ入力端子１３を備える。ＭＤメカ部１１及びＣＤメカ部１２のアナログ出力側、並びにアナログ入力端子１３にはセレクタ１４の入力側が接続され、さらにセレクタ１４の出力側にはＡＤコンバータ１５が設けられている。セレクタ１４により選択されるいずれかのアナログ信号は、ＡＤコンバータ１５によってデジタル信号に変換される。
【００２５】
記録再生装置はまた、ＭＤメカ部１１や、ＣＤメカ部１２、ＡＤコンバータ１５、メモリカード１７、ＵＳＢメモリ１８から入力される信号に対し、符号化や復号化等の信号処理を施すデジタル・シグナル・プロセッサ（以下、「ＤＳＰ」という。）１６を備える。ＤＳＰ１６が処理した信号は、メモリカード１７や、ＵＳＢメモリ１８、ＭＤメカ部１１に出力され得る。ＤＳＰ１６と、メモリカード１７及びＵＳＢメモリ１８との間には、それぞれの間のインタフェースとして機能するメモリカードスロット１９及びＵＳＢコントローラ２０が設けられている。
【００２６】
記録再生装置にはまた、ＤＳＰ１６が処理した信号に基づいて音声を出力するために、ＤＳＰ１６が出力するデジタル音声信号をアナログ音声信号に変換するＤＡコンバータ２１、ＤＡコンバータ２１からのアナログ信号を増幅するアンプ部２２、及びアンプ部２２で増幅された信号を音声に変換するスピーカ２３が設けられている。また、装置全体を制御するために、システムマイコン２４が設けられている。システムマイコン２４には、システムマイコン２４からの画像信号に基づく表示を行う表示部２５、及びシステムマイコン２４に対してユーザが指示を与えるための操作部２６が接続されている。表示部２５及び操作部２６は、ユーザインタフェースとして機能する。
【００２７】
システムマイコン２４は、ユーザからの指示に基づき、ＭＤメカ部１１、ＣＤメカ部１２、セレクタ１４、ＤＳＰ１６、ＤＡコンバータ２１等を制御し、ＣＤやアナログ入力端子１３からの入力信号の再生、並びにＭＤ、メモリカード１７、及びＵＳＢメモリ１８への記録や記録内容の再生等を行う。ＤＳＰ１６はその際、システムマイコン２４からの指令に基づき、ＭＤメカ部１１、ＣＤメカ部１２、メモリカードスロット１９、ＵＳＢコントローラ２０、ＡＤコンバータ１５、ＤＡコンバータ２１等の間に介在し、これらの間で送受される信号について、圧縮、伸張等の必要な信号の変換処理を行う。
【００２８】
図２は図１の装置におけるダイレクトリッピング処理を示すフローチャートである。同図に示すように、処理を開始すると、システムマイコン２４はまず、ステップ３１において、ＣＤメカ部１２においてＣＤが挿入されるのを待機する。ＣＤの挿入を検出すると、挿入されたＣＤからのＴＯＣデータの読込みが完了したかどうかの判定をステップ３２において行いながら、ステップ３３において該ＴＯＣデータの読込みを行う。ＴＯＣデータの読込みが完了したと判定すると、ステップ３４へ進み、操作部２６における自動録音キーの押下がなされるのを待機する。自動録音キーの押下を検出すると、ステップ３５へ進み、ＣＤメカ部１２に対し、ＣＤの再生を一時的に停止した状態である再生一時停止（ＣＤプレイ・ポーズ）状態へ移行するように指令する。
【００２９】
次に、ステップ３６において、ＤＳＰ１６に対し、録音一時停止（録音ポーズ）状態に移行するように通知する。録音一時停止状態とは、メモリカード１７又はＵＳＢメモリ１８において新たなファイルを作成し、オープン状態とすることにより、録音を直ちに開始することができる状態を意味する。なお、作成するファイルに付与するファイル名としては、ＣＤから読み出したＴＯＣデータ中のトラック情報等に基づき、これからそのファイルに対して録音を行うトラックに対応するものとして、そのファイルを特定するのに適した、トラック番号等を付した適切な名称が付与される。次に、ステップ３７において、録音一時停止状態への移行が完了するのを待機する。
【００３０】
録音一時停止状態への移行完了を検出すると、ステップ３８へ進み、ＤＳＰ１６に対して録音状態への移行を指令する録音開始通知を行う。そして、ステップ３９において、ＤＳＰ１６からの録音状態へ移行した旨の通知を待機する。この通知を受け取ると、ステップ４０において、ＣＤメカ部１２に対し、ＣＤの再生を開始するように指令する。これにより、ＣＤからメモリカード１７又はＵＳＢメモリ１８中の前記作成したファイルへデータを取り込むリッピング動作が開始される。リッピング動作に際しては、ＤＳＰ１６において、ＣＤメカ部１２からの再生信号に対し、ＭＰ３やＷＭＡのファイル形式への変換が行われる。
【００３１】
リッピング動作が行われている間、ステップ４１〜４３において、それぞれ、再生中のＣＤにおける再生トラックの変化、ＣＤの全トラックについての再生終了、又は操作部２６における停止キーの押下の有無を監視する。再生トラックの変化とは、次に再生するトラックが存在する場合において再生中のトラックについての再生が終了したことを意味する。トラックについての再生の終了は、たとえば再生信号中のサブＱコードが有するトラック単位での連続性を監視し、サブＱコードの連続性が途切れたことに基づいて検出することができる。また、再生信号において無音状態が所定期間継続したかどうかに基づいて検出することもできる。
【００３２】
トラックの変化を検出すると、ステップ４４へ進み、ＤＳＰ１６に対してトラックが変化した旨を通知するトラックチェンジ通知を行う。さらに、ステップ４５において、ＣＤメカ部１２に対してＣＤの再生を一時停止するように通知するとともに、ステップ４６において、ＤＳＰ１６に対して録音を一時停止するように通知する。トラックの変化は１曲の終了を意味するので、トラックチェンジ通知を受けたＤＳＰ１６は、ステップ４７において、次のトラックの設定を行う。すなわち、今までリッピングデータを記録していたファイルをクローズするとともに、ＣＤの再生の一時停止及び録音の一時停止が完了していることを条件として、次のトラックについてのリッピングデータを記録するためのファイルを作成し、オープン状態とする。ファイルのクローズ及びオープンが完了すると、ＤＳＰ１６は、その旨をシステムマイコン２４に通知する。
【００３３】
次に、システムマイコン２４は、ステップ４８において、ＴＯＣ情報から得られる次のトラックの再生開始位置においてポーズ状態に移行するように、ＣＤメカ部１２に対して指令を行う。そして、ステップ４９において、このポーズ状態への移行が完了するのを待機する。このポーズ状態への移行が完了すると、ステップ５０へ進み、ステップ４７におけるファイルのクローズ及びオープンが完了した旨のＤＳＰ１６からの通知を待機する。この通知を受信すると、ステップ３８に戻り、上述と同様の手順で、次のトラックについてのリッピング動作を開始する。
【００３４】
一方、ステップ４２又は４３においてＣＤの全トラックの再生終了又は停止キーの押下を検出した場合には、ステップ５１においてＣＤの再生動作を停止する。さらにステップ５２において、ＤＳＰ１６に対し、録音の停止を指令する停止通知を送信する。この通知を受信すると、ＤＳＰ１６は、今までリッピングデータを記録していたファイルをクローズして録音状態を解除し、その旨を示す停止完了通知を、システムマイコン２４に送信する。この停止完了通知を、システムマイコン２４はステップ５３において待機する。停止完了通知を受信すると、システムマイコン２４は、録音状態を解除する。これにより、ダイレクトリッピング処理が終了する。
【００３５】
以上のリッピング処理により、ＣＤの各トラックの楽曲データは、トラック毎に１つの楽曲ファイルを形成するように、ＭＰ３形式による圧縮ファイルやＷＡＶ形式よる非圧縮ファイルに変換され、メモリカード１７又はＵＳＢメモリ１８において格納される。格納された各楽曲ファイルは、メモリカード１７又はＵＳＢメモリ１８から、ファイル単位で読み出し、再生させることができる。また、メモリカード１７又はＵＳＢメモリ１８を他の再生装置等に装着することによって、その装置において再生させることもできる。
【００３６】
本実施形態によれば、トラック毎に、再生終了が検出されたこと（ステップ４１）に応答して、ＣＤについての再生動作を一時停止させるとともに（ステップ４５）、一時停止された再生動作の再開（ステップ４０）を、次のトラックについてのリッピングデータを記録するための別のファイルのオープンが完了し（ステップ５０）、該ファイルへの録音状態へ移行してから（ステップ３９）行うようにしたため、各ファイルに書き込まれる楽曲データにおいて頭切れが生じるのを確実に防止することができる。
【００３７】
また、トラック毎に、再生終了が検出されたとき（ステップ４１）、再生信号についての書込みを一時停止し（ステップ４６）、該書込みを行っていたファイルをクローズするようにしたため（ステップ４７）、該書込みを行っていたファイルの最後に無駄な無音部分が記録されるのを防止することができる。
【００３８】
また、再生動作の再開（ステップ４０）に際しては、次のトラックの再生開始位置から再生を開始するようにしたため（ステップ４８、４９）、該トラックについての書込みを行うための次のファイルにおいて、余分な無音信号が先頭に記録されるのを防止することができる。
【００３９】
なお、本発明は、上述の実施形態に限定されることなく、適宜変形して実施することができる。たとえば、上述においてはリッピングを、ＣＤについて行うようにしているが、この代わりに、ＭＤメカ部１１に装着されたＭＤについて行うようにしてもよい。
【００４０】
また、上述においては、リッピングデータを、メモリカード１７又はＵＳＢメモリ１８に格納するようにしているが、この代わりに、内部フラッシュメモリや、ハードディスクに格納するようにしてもよい。
【図面の簡単な説明】
【００４１】
【図１】本発明の一実施形態に係る記録再生装置の構成を示すブロック図である。
【図２】図２は図１の装置におけるダイレクトリッピング処理を示すフローチャートである。
【図３】従来のダイレクトリッピング処理を示すフローチャートである。
【符号の説明】
【００４２】
１１：ＭＤメカ部、１２：ＣＤメカ部、１３：アナログ入力端子、１４：セレクタ、１５：ＡＤコンバータ、１７：メモリカード、１９：メモリカードスロット、２０：ＵＳＢコントローラ、２１：ＤＡコンバータ、２２：アンプ部、２３：スピーカ、２４：システムマイコン、２５：表示部、２６：操作部。
【図１】
2008090967.tif 000003
【図２】
2008090967.tif 000004
【図３】
2008090967.tif 000005